(57)【要約】【課題】薬剤の跳ねの度合いを低減することができ、かつ、清掃が容易な薬剤供給装置を提供する。【解決手段】薬剤供給装置は、薬剤Ｍを供給する少なくとも１つの薬剤供給部３１と、薬剤供給部３１から供給された薬剤Ｍが通過する通路部とを備える。前記通路部は、薬剤Ｍが衝突する部材であって弾性変形可能な被衝突部材５２と、被衝突部材５２を保持する保持部と、薬剤Ｍが衝突する側とは逆の側に向かって被衝突部材５２が弾性変形する量を制限するように、被衝突部材５２に間隙５７を介して対向するように配置された背面部５３とを備える。【選択図】図１５
2018043766.tif 000002
【特許請求の範囲】
【請求項１】
薬剤を供給する少なくとも１つの薬剤供給部と、
前記薬剤供給部から供給された前記薬剤が通過する通路部とを備え、
前記通路部は、前記薬剤が衝突する部材であって弾性変形可能な被衝突部材と、前記被衝突部材を保持する保持部と、前記薬剤が衝突する側とは逆の側に向かって前記被衝突部材が弾性変形する量を制限するように、前記被衝突部材に間隙を介して対向するように配置された背面部とを備える、薬剤供給装置。
【請求項２】
前記被衝突部材は板状の部材である、請求項１に記載の薬剤供給装置。
【請求項３】
前記保持部は、前記被衝突部材を、遊びを持たせつつ保持している、請求項１または２に記載の薬剤供給装置。
【請求項４】
前記保持部は、溝を有し、前記被衝突部材の外周の少なくとも一部を前記溝に受け入れることによって前記被衝突部材を保持している、請求項３に記載の薬剤供給装置。
【請求項５】
前記保持部は、前記被衝突部材の左右方向の両端部の少なくとも一部を前記溝に受け入れることによって前記被衝突部材を保持している、請求項４に記載の薬剤供給装置。
【請求項６】
前記少なくとも１つの薬剤供給部は、上下方向に並んで配置された複数の薬剤供給部を含み、
前記被衝突部材の上下方向の長さは、前記複数の薬剤供給部の上下方向の並びの長さに対応しており、前記被衝突部材は一体的に形成されている、請求項１から５のいずれかに記載の薬剤供給装置。
【請求項７】
前記保持部は、前記被衝突部材の外周の少なくとも一部を保持している、請求項１または２に記載の薬剤供給装置。
【請求項８】
前記被衝突部材は前記保持部に対して着脱可能である、請求項１から７のいずれかに記載の薬剤供給装置。
【請求項９】
前記被衝突部材は、超高分子量ポリエチレン樹脂で形成されている、請求項１から８のいずれかに記載の薬剤供給装置。
【発明の詳細な説明】
【技術分野】
【０００１】
本発明は、薬剤供給装置に関するものである。
【背景技術】
【０００２】
実願昭６０−３７６１４号（実開昭６１−１５３７０１号）のマイクロフィルム（特許文献１）には、錠剤包装機が記載されている。この文献では、錠剤通路を通じて薬剤を落下させる際に、錠剤通路の硬質壁との衝突によって錠剤が破損したり、錠剤が跳ね返りながら落下することで落下時間が長くなったりすることを防ぐ目的で、錠剤通路に軟質シートを吊り下げた構成が記載されている。
【０００３】
特許文献１に記載された装置では、錠剤収容容器から送出された錠剤が軟質シートに衝突することで、送出時の水平方向の力が軟質シートによって吸収され、錠剤は軟質シートに沿って落下する。これにより、薬剤が包装機構部に達するまでの時間を短縮することができる。
【先行技術文献】
【特許文献】
【０００４】
【特許文献１】実願昭６０−３７６１４号（実開昭６１−１５３７０１号）のマイクロフィルム
【発明の概要】
【発明が解決しようとする課題】
【０００５】
錠剤が軟質シートに衝突すると、軟質シートに錠剤の粉が付着する場合がある。軟質シートに錠剤の粉が付着している状態のまま使用を続けると、軟質シートに付着していた錠剤の粉が、不所望なタイミングで落下したり、他の錠剤に付着したりする可能性がある。そのようなことが起こると異物の混入となってしまう。そこで、そのような事態を避けるために軟質シートを清掃する必要がある。
【０００６】
しかし、軟質シートを吊り下げているだけの状態では、軟質シートが変形しやすいので、清掃しにくい。
【０００７】
そこで、本発明は、薬剤の跳ねの度合いを低減することができ、かつ、清掃が容易な薬剤供給装置を提供することを目的とする。
【課題を解決するための手段】
【０００８】
上記目的を達成するため、本発明に基づく薬剤供給装置は、薬剤を供給する少なくとも１つの薬剤供給部と、上記薬剤供給部から供給された上記薬剤が通過する通路部とを備え、上記通路部は、上記薬剤が衝突する部材であって弾性変形可能な被衝突部材と、上記被衝突部材を保持する保持部と、上記薬剤が衝突する側とは逆の側に向かって上記被衝突部材が弾性変形する量を制限するように、上記被衝突部材に間隙を介して対向するように配置された背面部とを備える。
【発明の効果】
【０００９】
本発明によれば、薬剤の跳ねの度合いを低減することができる。また、被衝突部材を背面部に押し付けることが可能となるので、清掃が容易となる。
【図面の簡単な説明】
【００１０】
【図１】本発明に基づく実施の形態１における薬剤供給装置の斜視図である。
【図２】本発明に基づく実施の形態１における薬剤供給装置の一方の扉を開けた状態の斜視図である。
【図３】本発明に基づく実施の形態１における薬剤供給装置の扉、側板などを取り去った状態の斜視図である。
【図４】本発明に基づく実施の形態１における薬剤供給装置に備わるドラムの模式的な斜視図である。
【図５】本発明に基づく実施の形態１における薬剤供給装置に備わる分割体の第１の斜視図である。
【図６】本発明に基づく実施の形態１における薬剤供給装置に備わる分割体の第２の斜視図である。
【図７】本発明に基づく実施の形態１における薬剤供給装置の第１の部分断面図である。
【図８】本発明に基づく実施の形態１における薬剤供給装置の一方の扉を開け、１つの分割体を引き出した状態の斜視図である。
【図９】本発明に基づく実施の形態１における薬剤供給装置の一方の扉を開け、１つの分割体を引き出した状態の部分断面図である。
【図１０】本発明に基づく実施の形態１における薬剤供給装置の第２の部分断面図である。
【図１１】本発明に基づく実施の形態１における薬剤供給装置に備わるドラムの部分平面図である。
【図１２】本発明に基づく実施の形態１における薬剤供給装置の軸方向通路近傍の部分斜視図である。
【図１３】本発明に基づく実施の形態１における薬剤供給装置の、被衝突部材の１つを取り除いた状態での軸方向通路近傍の部分斜視図である。
【図１４】本発明に基づく実施の形態１における薬剤供給装置の、被衝突部材を保持部に取り付ける様子の説明図である。
【図１５】本発明に基づく実施の形態１における薬剤供給装置で薬剤が通路部を通って落下していく様子の説明図である。
【発明を実施するための形態】
【００１１】
（実施の形態１）
（構成）
図１〜図１４を参照して、本発明に基づく実施の形態１における薬剤供給装置について説明する。
【００１２】
本実施の形態における薬剤供給装置１０１は、処方箋に基づいて薬剤を供給する。処方箋は、医師が患者に交付する。処方箋には、処方情報が記載されている。処方情報は薬剤情報を含む。薬剤情報は、薬名、分量、用法および用量を含む。薬剤供給装置１０１は、薬剤として、固形の薬剤を供給する。固形の薬剤としては、錠剤、丸剤、カプセル剤などが挙げられる。薬剤供給装置１０１は、処方箋に基づいて薬剤を包装する薬剤包装装置に備えられてもよい。
【００１３】
本実施の形態における薬剤供給装置１０１の外観を図１に示す。薬剤供給装置１０１は、筐体２を備える。筐体２は前板４と側板８と天井部５とを備える。筐体２の正面側においては、扉６ａ、前板４および扉６ｂがこの順に並んで配置されている。筐体２の正面側の中央に上下方向に延在するように前板４が配置され、前板４の左右両側に対称に扉６ａ，６ｂが取り付けられている。扉６ａ，６ｂはそれぞれ取っ手１６ａ，１６ｂを備えている。ユーザは取っ手１６ａ，１６ｂを持って扉６ａ，６ｂを開閉することができる。薬剤供給装置１０１は、正面側に入力部１７を備える。入力部１７はたとえば図１に示すように前板４に取り付けられている。筐体２の左右の側面には側板８が配置されている。
【００１４】
薬剤供給装置１０１の扉６ａを開けた状態を図２に示す。扉６ａを開けたことによって開口部３を通じてドラム２０が見えている。筐体２の扉６ａ，６ｂ、前板４、側板８を取り去った状態を図３に示す。天井部５は、上下方向に延在する数本の柱１１によって支持されている。複数の柱１１のうち少なくとも４本は、天井部５の四隅を支えるように配置されている。天井部５の下には２つのドラム２０が配置されている。各ドラム２０は個別に回動可能に設置されている。ここでは１台の薬剤供給装置１０１が２つのドラム２０を備える例を示すが、１台の薬剤供給装置が備えるドラムの数は２以外であってもよい。薬剤供給装置に備わっているドラムが１つであってもよく、３つ以上であってもよい。
【００１５】
ドラム２０の構造を図４に模式的に示す。１つのドラム２０は４つの分割体３０を組み合わせたものを含み、円筒形となっている。ドラム２０は上下方向に延びる中心線８１のまわりに回動することができるように支持されている。ここでは、１つのドラム２０が９０°ごとの合計４つの分割体の組合せであるものとしたが、これはあくまで一例であり、１つのドラムはｎ個の分割体の組合せであってよい。ｎは２以上の整数である。ｎの値によって、分割体の１個当たりの中心角は変わり得る。分割体の１個当たりの中心角は、たとえば３６０°をｎで等分した角度であってよい。ドラムはｎ個の分割体を含み、さらにこれらの分割体を互いにつなぎとめる機構またはこれらの分割体を保持する機構を備えていてもよい。
【００１６】
１つの分割体３０を取り出したところを図５に示す。分割体３０は、上部３４と、下部３５とを備える。上部３４と下部３５との間に複数の薬剤供給部３１が配列されている。薬剤供給部３１はそれぞれ支持部３２によって支持されている。複数の薬剤供給部３１の各々には、複数の薬剤が収容されている。すなわち、たとえば薬剤が錠剤である場合には、１つの薬剤供給部３１の中に複数錠の薬剤が収容されている。複数の薬剤供給部３１のうちいずれか１つの薬剤供給部３１に注目した場合、１つの薬剤供給部３１の中には基本的に同種の薬剤のみが収容されている。複数の薬剤供給部３１に注目した場合、原則として別々の薬剤供給部３１には異なる種類の薬剤がそれぞれ収容されている。ただし、使用頻度が高い薬剤については、複数の薬剤供給部３１にわたって同種類の薬剤が収容されていてもよい。複数の薬剤供給部３１の各々は、それぞれの内部に収容している薬剤を供給することができる。薬剤供給部３１は、薬剤を収容することができるカセットであってよい。薬剤供給部３１には着脱の際にユーザが持つための取っ手がついていてもよい。分割体３０を異なる側から見たところを図６に示す。分割体３０は内周面３９を有する。内周面３９は曲面であってよい。内周面３９には、薬剤供給部３１の各々に対応するように径方向通路３７が開口している。径方向通路３７は、径方向Ｒの成分を含むように延在する。径方向通路３７の各々の内面には、軸方向Ｚに対して傾斜する傾斜面３８が設けられている。分割体３０は２つの側面４０，４３を有する。分割体３０は側面４０の端に２つの軸支部４２を備える。２つの軸支部４２は共通する軸Ａに沿って上下方向に並ぶように配置されている。
【００１７】
薬剤供給装置１０１の正面から向かって左側のドラム２０に注目し、このドラム２０近傍の断面図を図７に示す。図７では扉６ａは図示省略されている。
【００１８】
薬剤供給装置１０１の扉６ａを開け、開口部３から１つの分割体３０を引き出した状態を、図８および図９に示す。軸方向通路５１は、径方向通路３７（図６参照）から排出された薬剤が落下していく通路である。図７および図９に示すように、軸方向通路５１は、ドラム２０の内側に環状に配列されている。軸方向通路５１は、図７および図９における紙面手前奥方向に延在している。図９では扉６ａは図示省略されている。分割体３０は、軸支部４２によって軸Ａのまわりに回動自在に支持されている。これにより、分割体３０は、ドラム２０の外側に向かって回動することができる。ユーザがドラム２０の内部の清掃、修理、点検などを行なう場合には、このように分割体３０を手前に引き出した状態で行なうことができる。図８では、１つの分割体３０を手前に引き出したことにより、ドラム２０の内側にある軸方向通路５１が見える状態となっている。ただし、ここで示したのはあくまで一例であり、分割体３０がこのような態様で回動をするとは限らない。
【００１９】
軸方向通路５１の近傍を側方から見たときの部分断面図を図１０に示す。図１０における右側がドラム２０の内周側、左側がドラム２０の外周側に相当する。薬剤供給部３１の内周側の端部は径方向通路３７と接続している。径方向通路３７は軸方向通路５１とつながっている。内周面３９は軸方向通路５１に面している。ドラム２０を上から見たところを図１１に示す。
【００２０】
薬剤供給部３１から排出された薬剤は、通路部を通過する。通路部は、径方向通路３７と軸方向通路５１とを含む。「通路部」といった場合、薬剤が通過する空間だけでなくそのような空間を画定するために用いられている周辺部材を含む。通路部は、薬剤が衝突する部材として、被衝突部材５２を備える。被衝突部材は弾性変形可能な部材である。被衝突部材５２は、内周面３９と対向するように配置されている。ドラム２０の中心近傍には支柱５０が配置されている。支柱５０の周りに背面部５３が配置されている。被衝突部材５２は、背面部５３からわずかに離隔した状態で配置されている。被衝突部材５２と背面部５３との間には、間隙５７が設けられている。
【００２１】
薬剤供給装置１０１は、薬剤を供給する少なくとも１つの薬剤供給部３１と、薬剤供給部３１から供給された前記薬剤が通過する通路部とを備える。通路部は、前記薬剤が衝突する部材であって弾性変形可能な被衝突部材５２と、被衝突部材５２を保持する保持部５４ａ，５４ｂと、前記薬剤が衝突する側とは逆の側に向かって被衝突部材５２が弾性変形する量を制限するように、被衝突部材５２に間隙５７を介して対向するように配置された背面部５３とを備える。
【００２２】
背面部５３は樹脂で形成された壁であってよい。背面部５３は支柱５０と一体的に形成されたものであってもよい。ドラム２０の中心近傍においては、支柱５０を取り囲むように、保持部５４ａと保持部５４ｂとが交互に放射状に配置されている。図１１に示すように、保持部５４ａ，５４ｂは支柱５０から半径方向に突出する突起として形成されていてもよい。保持部５４ａ，５４ｂはそれぞれ溝５５を有している。溝５５は上下方向に延在している。すなわち、溝５５は図１１における紙面手前奥方向に延在している。被衝突部材５２も図１１における紙面手前奥方向に延在している。被衝突部材５２は上下方向を長手方向とする帯状の部材である。図１１に示すように、被衝突部材５２の幅方向の両端は溝５５に収容されている。保持部５４ａ，５４ｂは溝５５の近傍に突起５６を備えている。突起５６は、ドラム２０内周側から被衝突部材５２に当接していてよい。
【００２３】
保持部５４ａ，５４ｂに被衝突部材５２が保持されている状態の部分斜視図を図１２に示す。保持部５４ａ，５４ｂがそれぞれ上下方向に延在しており、これらに挟まれるように帯状の被衝突部材５２が上下方向に延在している。保持部５４ａ，５４ｂは複数の樹脂成形部品を接続して上下方向に長くしたものであるので、図１２では樹脂成型部品同士の境目が見えている。図１２では、２本の帯状の被衝突部材５２が見えていたが、このうち図中左側の被衝突部材５２を取り去った状態を図１３に示す。被衝突部材５２を取り去った部分においては、保持部５４ａ，５４ｂ間に背面部５３が露出している。図１３では、保持部５４ａの根元に溝５５が見えている。図１３では隠れて見えないが保持部５４ｂの根元にも溝５５がある。保持部５４ａの両側に溝５５が設けられている。保持部５４ｂにおいても両側に溝５５が設けられている。各溝５５の途中のいくつかの箇所においては溝５５の幅を狭くするように突起５６が配置されている。突起５６の先端は背面部５３に比べてドラム２０外周側に向かって突出している。
【００２４】
被衝突部材５２の背後には間隙５７があるので、薬剤が被衝突部材５２に衝突したとき、または、清掃作業の一環で被衝突部材５２が押されたとき、被衝突部材５２は、間隙５７の分だけは自由に弾性変形することができる。しかし、さらに背後には背面部５３があるので、被衝突部材５２は間隙５７の分だけ変形した後には背面部５３に当接し、それ以上は自由に弾性変形することができない。背面部５３はこのようにして、薬剤が衝突する側とは逆の側に向かって被衝突部材５２が弾性変形する量を制限している。背面部５３は容易に変形しないことが好ましい。背面部５３は被衝突部材５２より剛性の高い部材であることが好ましい。背面部５３はたとえば樹脂で形成されたものであってもよい。
【００２５】
保持部５４ａ，５４ｂに対して被衝突部材５２を取り付ける際には、上端から図１４に矢印で示すように挿入することができる。図１４ではドラム２０の上端を部分的に表示している。保持部５４ａ，５４ｂに設けられた溝５５は、上下方向に延在しており、ドラム２０の上端においては、このように開放されているので、帯状の板材である被衝突部材５２を挿入することができる。ただし、図１４に示した構造は説明の便宜のために模式的に示したものであり、細部の構造はこのとおりとは限らない。図１４では、突起５６は図示省略されている。
【００２６】
（作用・効果）
本実施の形態では、通路部に弾性変形可能な被衝突部材５２が備わっているので、薬剤の跳ねの度合いを低減することができる。たとえば図１５に示すように、薬剤供給部３１から排出されて径方向通路３７を通って転がり落ちた薬剤Ｍが軸方向通路５１に露出する被衝突部材５２に衝突したときに、従来であれば点線で示されたように大きく跳ね返ったであろうところに、実線で示すように小さくしか跳ね返らないようにすることができる。さらに、薬剤が衝突する側とは逆の側に向かって被衝突部材５２が弾性変形する量を制限するように、被衝突部材５２に間隙５７を介して対向するように背面部５３が配置されているので、清掃の際には被衝突部材５２を弾性変形させて背面部に押し付けることも可能である。そのように背面部に押し付けた状態で清掃をすれば被衝突部材に力を加えやすいので、清掃が容易となる。
【００２７】
本実施の形態で示したように、被衝突部材５２は板状の部材であることが好ましい。被衝突部材５２が板状であれば、飛来してくる薬剤を、ある程度広い範囲にわたって確実に受け止めることができるからである。また、被衝突部材が板材であれば、上下方向に延在させて配置する場合に少ない床面積で配置することができる。被衝突部材が板材であれば、清掃の際には弾性変形させて背面部に押し付けることも容易である。
【００２８】
本実施の形態で示したように、保持部５４ａ，５４ｂは、溝５５を有し、被衝突部材５２の外周の少なくとも一部を溝５５に受け入れることによって被衝突部材５２を保持していることが好ましい。このように溝を用いて被衝突部材を保持することとすれば、少ない部品点数で容易に被衝突部材を保持することができる。
【００２９】
本実施の形態で示したように、保持部５４ａ，５４ｂは、被衝突部材５２の左右方向の両端部の少なくとも一部を溝５５に受け入れることによって被衝突部材５２を保持していることが好ましい。この構成を採用することにより、上下方向に延在する被衝突部材を安定して保持することができる。
【００３０】
本実施の形態で示したように、保持部５４ａ，５４ｂは、被衝突部材５２を、遊びを持たせつつ保持していることが好ましい。このように被衝突部材５２の保持状況に遊びがあることにより、被衝突部材５２に薬剤が衝突した際に、被衝突部材５２は保持部に対して多少相対的に変位することができるので、薬剤衝突の衝撃を吸収し、薬剤の跳ねかえりを小さくすることができる。もっとも、遊びを持たせることは、好ましいとはいえ必須ではない。遊びがほとんどない、あるいは、全くないような保持の仕方でもある程度の効果を得ることはできる。たとえば被衝突部材の幅方向の端をネジ留めによって保持することも考えられる。
【００３１】
本実施の形態で示したように、前記「少なくとも１つの薬剤供給部３１」は、上下方向に並んで配置された複数の薬剤供給部３１を含み、被衝突部材５２の上下方向の長さは、複数の薬剤供給部３１の上下方向の並びの長さに対応しており、被衝突部材５２は一体的に形成されていることが好ましい。このように被衝突部材５２が十分な長さにわたって一体的に形成されていれば、通路部において薬剤が衝突する面を、継ぎ目がない構造とすることができるので、薬剤を円滑に落下させることができる。また、被衝突部材５２に一体的で継ぎ目がないことにより、通路部の清掃も容易となる。
【００３２】
本実施の形態で示したように、保持部５４ａ，５４ｂは、被衝突部材５２の外周の少なくとも一部を保持していることが好ましい。遊びの有無にかかわらず、このように保持することによって、被衝突部材を良好に保持することができる。被衝突部材に対する保持は外周付近で行なうこととして、被衝突部材の中央部分は自由に変形可能な状態としておくことが好ましい。このようにすれば、薬剤が衝突したときの衝撃を被衝突部材によって吸収しやすくなる。
【００３３】
被衝突部材５２は保持部５４ａ，５４ｂに対して着脱可能であることが好ましい。図１４では、帯状の板材である被衝突部材５２を保持部５４ａ，５４ｂの溝５５へと挿入する様子を示したが、逆に抜き取ることもできる。このように、着脱可能としておくことにより、被衝突部材５２が汚損、破損などしたときに、交換が容易となる。
【００３４】
被衝突部材５２は、樹脂で形成されていることが好ましい。被衝突部材５２は、超高分子量ポリエチレン樹脂で形成されていることが好ましい。この構成を採用することにより、耐摩耗性、耐薬品性に優れた被衝突部材を実現することができる。また、薬剤が跳ね返りにくい構造を実現することができる。
【００３５】
ここまで、複数の薬剤供給部が円筒形に配列されたドラムを備える薬剤供給装置を例にとって説明してきたが、薬剤供給装置はこのような構造のものに限らない。たとえば複数の薬剤供給部が平行に配置された薬剤供給装置においても、本発明を適用することが可能である。複数の薬剤供給部はたとえば一定の平面に沿って配列されていてもよい。複数の薬剤供給部が複数の平面に沿ってそれぞれ配列された構成であってもよい。
【００３６】
ここまで説明してきた例では、被衝突部材は、法線ベクトルが上向き成分を含まない向きで設けられているが、これはあくまで一例であって、このようなものに限らない。被衝突部材は、たとえば法線ベクトルが上向き成分を含む向きとなるように設けられていてもよい。たとえば、被衝突部材の表面が水平となるような姿勢で被衝突部材が設けられていてもよい。被衝突部材が水平面に対して傾斜するように設けられていてもよい。被衝突部材がいずれの姿勢で設けられる場合であっても、本発明を適用することが可能である。
【００３７】
薬剤供給部の数は実施の形態１で「少なくとも１つ」と述べたように、１以上あればよく、たとえば薬剤供給部の数が１つである薬剤供給装置においても、本発明を適用することは可能である。
【００３８】
なお、今回開示した上記実施の形態はすべての点で例示であって制限的なものではない。本発明の範囲は特許請求の範囲によって示され、特許請求の範囲と均等の意味および範囲内でのすべての変更を含むものである。
【符号の説明】
【００３９】
２  筐体、３  開口部、４  前板、５  天井部、６ａ，６ｂ  扉、８  側板、１１  柱、１６ａ，１６ｂ  取っ手、１７  入力部、２０  ドラム、３０  分割体、３１  薬剤供給部、３２  支持部、３４  天井部、３５  ドラム下部、３７  径方向通路、３８  斜面、３９  内周面、４０，４３  側面、４２  軸支部、５０  支柱、５１  軸方向通路、５２  被衝突部材、５３  背面部、５４ａ，５４ｂ  保持部、５５  溝、５６  突起、５７  間隙、８１  中心線、１０１  薬剤供給装置、Ｍ  薬剤。
【図１】
2018043766.tif 000003
【図２】
2018043766.tif 000004
【図３】
2018043766.tif 000005
【図４】
2018043766.tif 000006
【図５】
2018043766.tif 000007
【図６】
2018043766.tif 000008
【図７】
2018043766.tif 000009
【図８】
2018043766.tif 000010
【図９】
2018043766.tif 000011
【図１０】
2018043766.tif 000012
【図１１】
2018043766.tif 000013
【図１２】
2018043766.tif 000014
【図１３】
2018043766.tif 000015
【図１４】
2018043766.tif 000016
【図１５】
2018043766.tif 000017